(57)【要約】      （修正有）【課題】簡単にクロマキースクリーンに着脱して、クロマキー撮影を行うことができ、熱等の影響で剥がれる危険もほとんどなく、再利用も可能で経済的なターゲットを提供する。【解決手段】表面が面ファスナーの一方となりうる環状の突起を密に形成した平面とされたクロマキースクリーン６に使用されるターゲット２に以下の手段を採用する。第１に、該ターゲットのクロマキースクリーンとの接触面が、面ファスナーの他方となる細かなカギ状の突起を密に形成した平面とする。第２に、ターゲットは十字状に形成されている。第３に、着脱自在のターゲットとする。【選択図】図１
0003145637.tif 000002
【実用新案登録請求の範囲】
【請求項１】
表面が面ファスナーの一方となりうる環状の突起を密に形成した平面とされたクロマキースクリーンに使用されるターゲットであって、
該ターゲットのクロマキースクリーンとの接触面が、面ファスナーの他方となる細かなカギ状の突起を密に形成した平面とされ、且つ、十字状に形成されたことを特徴とする着脱自在のターゲット。
【請求項２】
ターゲットのクロマキースクリーンとの接触面と反対側の平面がクロマキースクリーンの表面と異なる素材で形成されたものである請求項１に記載の着脱自在のターゲット。
【請求項３】
ターゲットが、幅５ｃｍ、長さ２０ｃｍの布地を十字状になるよう重ねたうえ、重なり部分を縫合して形成したものである請求項１または２に記載の着脱自在のターゲット。
【考案の詳細な説明】
【技術分野】
【０００１】
本発明は、コンピュータグラフィックス（以下ＣＧと記す）の分野において用いられるものであって、クロマキースクリーン（パンチカーペットなども含む）に、着脱自在に装着して利用されるターゲットに関するものである。
【背景技術】
【０００２】
背景画像に実写画像をＣＧ合成する場合、実写カメラが固定されている場合であれば、単純に実写映像における被写体の輪郭を切り抜いて、ＣＧソフトに取り込んで、ＣＧソフト上で見た目を合わせれば、比較的容易に合成ができていた。その場合の、実写映像の撮影も簡単である。
【０００３】
しかし、図３に示すように複数台のカメラ３、４が、上下左右方向へと複雑に移動して撮影する場合、単純に実写画像用の被写体５を撮影したのではＣＧ合成が難しい。そこで、図３及び図４に示されるようにクロマキースクリーン１にターゲット２を設けて撮影し、その実写映像でクロマキースクリーン１に存在するターゲット２をＣＧソフトに追尾させてカメラ３，４の移動を判断させ、ＣＧ合成をするようになってきた。
【０００４】
特許文献１には、複雑には移動できない固定カメラが示されているが、クロマキースクリーン（特許文献１ではクロマキーバックと称する）に、ターゲット（特許文献１ではマーカーと称する）を利用して撮影をする手段が開示されている。
【０００５】
従来、クロマキースクリーンは、プレーンな単色（青、緑、赤、黒）である。クロマキースクリーンの表面をグリッド状にすればカメラ３，４の移動の認識は容易であるが、グリッド状のラインは、オンライン編集時には邪魔になりデメリットとなる。したがって、クロマキースクリーンは単色が用いられている。
【０００６】
そこで、必要に応じて紙で造った白黒のターゲットをクロマキースクリーンに両面接着テープで貼り付けて、実写画像を撮影していた。しかし、撮影用のライトの熱や、クロマキースクリーンと接着剤との関係で剥がれてしまうことが多く、作業効率が悪かったうえ、再利用がきかず不経済であった。
【０００７】
【特許文献１】特開２００２−６３５７２号公開特許公報
【考案の開示】
【考案が解決しようとする課題】
【０００８】
本考案は、前記問題点を解決し、簡単にクロマキースクリーンに着脱して、クロマキー撮影を行うことができ、熱等の影響で剥がれる危険もほとんどなく、再利用も可能で経済的なターゲットの提供を目的とする。その結果、クロマキー合成作業の効率が上がり、作品のグレードアップや制作コスト削減に役立つターゲットとすることを目的とする。
【課題を解決するための手段】
【０００９】
第１の考案は、表面が面ファスナーの一方となりうる環状の突起を密に形成した平面とされたクロマキースクリーンに使用されるターゲットに以下の手段を採用する。
第１に、該ターゲットのクロマキースクリーンとの接触面が、面ファスナーの他方となる細かなカギ状の突起を密に形成した平面とする。
第２に、ターゲットは十字状に形成されている。
第３に、着脱自在のターゲットとする。
【００１０】
第２の考案は、第１の考案に、ターゲットのクロマキースクリーンとの接触面と反対側の平面がクロマキースクリーンの表面と異なる素材で形成されたものである点を付加した着脱自在のターゲットである。
【００１１】
第３の考案は、第１の考案または第２の考案に、ターゲットが、幅５ｃｍ、長さ２０ｃｍの布地を十字状になるよう重ねたうえ、重なり部分を縫合して形成したものである点を付加した着脱自在のターゲットである。
【考案の効果】
【００１２】
本考案は、ターゲットが十字状であるため、グリッドラインを設けたのと同様の効果を有し、更に、着脱自在であるため、必要な箇所のみに装着したり、何度も使い回しができたりと、経済的で便利なターゲットとなった。
【００１３】
第２の考案の効果ではあるが、ターゲットのクロマキースクリーンとの接触面と反対側の平面をクロマキースクリーンの表面と異なる素材で形成するため、クロマキースクリーンとターゲットが同系色であってもターゲットを認識可能であり、便利である。
【考案を実施するための最良の形態】
【００１４】
以下、図面にしたがって、実施例と共に本考案の実施の形態について説明する。図３は、本実施例を利用してクロマキー撮影状態を示す参考斜視図であり、図４は、クロマキースクリーンとターゲットの関係を示す説明図である。そして、図中１がクロマキースクリーンの正面図である。
【００１５】
クロマキースクリーン１は、図２に示されるように表面６が面ファスナーの一方となりうる環状突起１１を密に形成した平面とされた単色（青、緑、赤、黒など）の布地である。尚、クロマキースクリーン１の裏面１６は特別な限定はない。
【００１６】
クロマキースクリーン１に着脱自在に固定して使用されるターゲット２は、マジックテープ（登録商標）の片面を利用したものである。具体的には、クロマキースクリーン１の表面６と接触するターゲット２の接触面７が、図２に示されるように面ファスナーの他方となる細かなカギ状突起１２を密に形成した平面とされている。これにより、簡単に装着したり、簡単に離脱したりができるだけでなく、熱や少々の外力では外れないターゲットとなった。
【００１７】
実施例でのターゲット２は、幅５ｃｍ、長さ２０ｃｍの縦布地２１と同様な横布地２２を均等な十字状になるよう重ねたうえ、重なり部分を縫合部２３として縫合して形成したものである。これによりクロマキースクリーン２にグリッドを描いたのと同様の効果を得ることができる。尚、ターゲット２のクロマキースクリーン１の表面６との接触面７と反対側の表面１７がクロマキースクリーンの表面と異なる素材で形成されたものである。これによりクロマキースクリーン１とターゲット２が同系色であったとしても、認識率は確保できるものとなった。
【図面の簡単な説明】
【００１８】
【図１】ターゲットを示す正面図
【図２】ターゲットとクロマキースクリーンの関係を示す部分拡大説明図
【図３】クロマキー撮影状態を示す参考斜視図
【図４】クロマキースクリーンとターゲットの関係を示す説明図
【符号の説明】
【００１９】
１・・・・クロマキースクリーン
２・・・・ターゲット
３，４・・・・カメラ
５・・・・被写体
６・・・・クロマキースクリーン表面
７・・・・接触面
１１・・・環状突起
１２・・・カギ状突起
１６・・・クロマキースクリーン裏面
１７・・・ターゲット表面
２１・・・縦布地
２２・・・横布地
２３・・・縫合部
【図１】
0003145637.tif 000003
【図２】
0003145637.tif 000004
【図３】
0003145637.tif 000005
【図４】
0003145637.tif 000006